(57)【要約】      （修正有）【課題】使用が便利で、操作が簡単で、シューズに対する除湿効率が高く、効果がよく、実用性が高い脱臭除湿装置を提供する。【解決手段】脱臭除湿装置の本体１と、第１載置板２と、第２載置板３と、シューズを収容するためのシューズラック構造と、シューズの換気と乾燥を行うための換気乾燥構造と、ニオイを浄化するためのニオイ浄化構造と、を含む脱臭除湿装置であって、本体の底部に支持脚が設けられ、本体の正面にキャビネットドアが設けられ、本体の底部及び頂部にそれぞれ二つの底部及び頂部を貫通するメッシュ換気口４が形成され、第１載置板は、支持脚を介して本体の内部の底端に固定して設けられ、第２載置板は、支持脚を介して第１載置板の上端の表面に固定して設けられ、第１載置板及び第２載置板の上端の表面にそれぞれ二つの摺動溝が横方向に形成され、シューズラック構造は、第１載置板及び第２載置板の上面の摺動溝に設けられる。【選択図】図１
0003232451.tif 000002
【実用新案登録請求の範囲】
【請求項１】
脱臭除湿装置の本体（１）と、第１載置板（２）と、第２載置板（３）と、シューズを収容するためのシューズラック構造と、シューズの換気と乾燥を行うための換気乾燥構造と、ニオイを浄化するためのニオイ浄化構造と、を含む脱臭除湿装置であって、
前記本体（１）の底部に支持脚が設けられ、
前記本体（１）の正面にキャビネットドアが設けられ、
前記本体（１）の底部及び頂部にそれぞれ二つの前記底部及び頂部を貫通するメッシュ換気口（４）が形成され、
前記第１載置板（２）は、前記支持脚を介して本体（１）の内部の底端に固定して設けられ、
前記第２載置板（３）は、前記支持脚を介して前記第１載置板（２）の上端の表面に固定して設けられ、
前記第１載置板（２）及び前記第２載置板（３）の上端の表面にそれぞれ二つの摺動溝（５）が横方向に形成され、
前記シューズラック構造は、前記第１載置板（２）及び前記第２載置板（３）の上面の摺動溝（５）に設けられ、
前記換気乾燥構造は、本体（１）の内部の底端に設けられ、
前記ニオイ浄化構造は、本体（１）の内部の頂端に設けられる
ことを特徴とする脱臭除湿装置。
【請求項２】
請求項１に記載の脱臭除湿装置であって、
前記シューズラック構造は、複数の支持板（６）を含み、
複数の前記支持板（６）は、２群に均等に分割され、
２群の前記支持板（６）の底部にそれぞれ二つの支持柱（７）が設けられ、
前記支持板（６）は、前記支持柱（７）及び接続具を介して摺動溝（５）に移動可能に接続される
ことを特徴とする脱臭除湿装置。
【請求項３】
請求項２に記載の脱臭除湿装置であって、
前記支持板（６）の底部におけるその正面に近い部位に位置する支持柱（７）に延伸板（８）が設けられ、
前記延伸板（８）に前記延伸板（８）を貫通するように締付ノブ（９）がネジ接続され、
複数の前記締付ノブ（９）の底部は、前記第１載置板（２）及び前記第２載置板（３）の上面に当接する
ことを特徴とする脱臭除湿装置。
【請求項４】
請求項１に記載の脱臭除湿装置であって、
前記換気乾燥構造は、二つのファンハウジング（１０）、二つのファン（１１）と、二つの加熱板（１２）を含み、
二つの前記ファンハウジング（１０）は、それぞれ本体（１）の内部の底端に位置するメッシュ換気口（４）に固定して設けられ、
二つの前記ファン（１１）は、それぞれ二つの前記ファンハウジング（１０）の内部に設けられ、
二つの前記ファン（１１）の風向は、いずれも本体（１）の内部の頂端に向かい、
二つの前記加熱板（１２）は、それぞれ二つの前記ファンハウジング（１０）の内部に設けられ、前記ファン（１１）の上方に位置する
ことを特徴とする脱臭除湿装置。
【請求項５】
請求項１に記載の脱臭除湿装置であって、
前記第１載置板（２）及び前記第２載置板（３）の内部にそれぞれ複数の貫通孔（１３）が形成される
ことを特徴とする脱臭除湿装置。
【請求項６】
請求項１に記載の脱臭除湿装置であって、
前記ニオイ浄化構造は、二つの収納箱（１４）を含み、
二つの前記収納箱（１４）は、それぞれ取付具を介して本体（１）の内部の頂端に設けられ、頂部が開口し、四周側面及び底部がいずれもメッシュ状である
ことを特徴とする脱臭除湿装置。
【考案の詳細な説明】
【技術分野】
【０００１】
本考案は、下駄箱設備領域に関し、特に脱臭除湿装置に関する。
【背景技術】
【０００２】
下駄箱は、主にシューズを収納するものである。社会の進歩と人々の生活水準の向上に伴い、下駄箱は、単に木製されたものから様々なデザインや素材の木製のものに発展され、木製の下駄箱以外に、電子下駄箱、滅菌機能付きの下駄箱等を含む。機能とデザインがそれぞれ異なり、シューズを脱臭、除湿する場合、脱臭除湿機能がある下駄箱が必要となる。
【０００３】
しかしながら、従来の除臭除湿機能付きの下駄箱は、以下の欠点を有する。
換気だけでシューズの除湿を行い、効率が低い。また、シューズを上下にひっくり返して収納し難いため、換気でシューズの内部に対する脱臭、除湿の効果が悪く、実用性に乏しい。
【考案の概要】
【０００４】
本考案は、従来の下駄箱の以下の欠点を解決するために、脱臭除湿装置を提供することを目的とする。換気だけでシューズの除湿を行い、効率が低い。また、シューズを上下にひっくり返して収納し難いため、換気でシューズの内部に対する脱臭、除湿の効果が悪く、実用性に乏しい。
【０００５】
上述した目的を実現するために、本考案は、脱臭除湿装置の本体と、第１載置板と、第２載置板と、シューズを収容するためのシューズラック構造と、シューズの換気と乾燥を行うための換気乾燥構造と、ニオイを浄化するためのニオイ浄化構造と、を含む脱臭除湿装置を提供する。前記本体の底部に支持脚が設けられ、前記本体の正面にキャビネットドアが設けられ、前記本体の底部及び頂部にそれぞれ二つの前記底部及び頂部を貫通するメッシュ換気口が形成され、前記第１載置板は、前記支持脚を介して本体の内部の底端に固定して設けられ、前記第２載置板は、前記支持脚を介して前記第１載置板の上端の表面に固定して設けられ、前記第１載置板及び前記第２載置板の上端の表面にそれぞれ二つの摺動溝が横方向に形成され、前記シューズラック構造は、前記第１載置板及び前記第２載置板の上面の摺動溝に設けられ、前記換気乾燥構造は、本体の内部の底端に設けられ、前記ニオイ浄化構造は、本体の内部の頂端に設けられる。
【０００６】
好ましくは、前記シューズラック構造は、複数の支持板を含み、複数の前記支持板は、２群に均等に分割され、２群の前記支持板の底部にそれぞれ二つの支持柱が設けられ、前記支持板は、前記支持柱及び接続具を介して摺動溝に移動可能に接続される。これにより、シューズが上下にひっくり返された後に隣り合う二つの支持板に収納されることができる。
【０００７】
好ましくは、前記支持板の底部におけるその正面に近い部位に位置する支持柱に延伸板が設けられ、前記延伸板に前記延伸板を貫通するように締付ノブがネジ接続され、複数の前記締付ノブの底部は、前記第１載置板及び前記第２載置板の上面に当接する。これにより、締付ノブは、延伸板と組み合わせて支持板を固定する。
【０００８】
好ましくは、前記換気乾燥構造は、二つのファンハウジング、二つのファンと、二つの加熱板を含み、二つの前記ファンハウジングは、それぞれ本体の内部の底端に位置するメッシュ換気口に固定して設けられ、二つのファンは、それぞれ二つのファンハウジングの内部に設けられ、二つの前記ファンの風向は、いずれも本体の内部の頂端に向かい、二つの前記加熱板は、それぞれ二つのファンハウジングの内部に設けられ、ファンの上方に位置する。これにより、換気乾燥構造で上下にひっくり返されたシューズのアッパー及び内部に対して換気乾燥処理を行うことができる。
【０００９】
好ましくは、前記第１載置板及び前記第２載置板の内部にそれぞれ複数の貫通孔が形成される。貫通孔を設けることにより、換気処理が容易になる。
【００１０】
好ましくは、前記ニオイ浄化構造は、二つの収納箱を含み、二つの前記収納箱は、それぞれ取付具を介して本体の内部の頂端に設けられ、頂部が開口し、四周側面及び底部がいずれもメッシュ状である。活性炭バッグを収納箱に入れることにより、ニオイが吸着される。
【考案の効果】
【００１１】
本考案の態様は、下記の有益な効果を奏する。
本考案では、第１載置板と、第２載置板と、シューズラック構造と、換気乾燥構造と、を設けることにより、シューズに対して除臭除湿を行う際に、シューズをシューズラック構造に収納することができ、ファン及び加熱板をオンにした後に、本体の内部のシューズに対して加熱された空気で換気処理を行うことができ、シューズに対する除湿効率が向上する。
【００１２】
本考案では、シューズラック構造を設けることにより、シューズに対して除臭除湿を行う際に、シューズの大きさにより隣り合う二つの支持板の間の距離を調節し、シューズを上下にひっくり返して隣り合う二つの支持板の間に収納することができ、換気乾燥構造と組み合わせてシューズの内部に対して換気、除湿処理を行うことができる。これにより、シューズの内部に対する除湿効果がよく、実用性が高い。
【図面の簡単な説明】
【００１３】
【図１】本考案の実施例に係る全体構造模式図である。
【図２】本考案の実施例に係る支持板の取付上面図である。
【図３】本考案の実施例に係る締付ノブの取付側面図である。
【図４】図１におけるＡ部分の拡大模式図である。
【図５】本考案の実施例に係る支持板の取付側面断面図である。
【考案を実施するための形態】
【００１４】
図１−５に示すように、本考案のある実施例によれば、脱臭除湿装置は、脱臭除湿装置の本体１と、第１載置板２と、第２載置板３と、シューズを収容するためのシューズラック構造と、シューズの換気と乾燥を行うための換気乾燥構造と、ニオイを浄化するためのニオイ浄化構造と、を含む。前記本体１の底部に支持脚が設けられ、前記本体１の正面にキャビネットドアが設けられ、前記本体１の底部及び頂部にそれぞれ二つの前記底部及び頂部を貫通するメッシュ換気口４が形成され、前記第１載置板２は、前記支持脚を介して本体１の内部の底端に固定して設けられ、前記第２載置板３は、前記支持脚を介して前記第１載置板２の上端の表面に固定して設けられ、前記第１載置板２及び前記第２載置板３の上端の表面にそれぞれ二つの摺動溝５が横方向に形成され、前記シューズラック構造は、前記第１載置板２及び前記第２載置板３の上面の摺動溝５に設けられ、前記換気乾燥構造は、本体１の内部の底端に設けられ、前記ニオイ浄化構造は、本体１の内部の頂端に設けられる。
【００１５】
前記シューズラック構造は、複数の支持板６を含み、複数の前記支持板６は、２群に均等に分割され、２群の前記支持板６の底部にそれぞれ二つの支持柱７が設けられ、前記支持板６は、前記支持柱７及び接続具を介して摺動溝５に移動可能に接続される。シューズを収納する際に、先にシューズを上下にひっくり返して、その後、シューズをその開口面が下に向かうように隣り合う二つの支持板６の間に収納する。これにより、シューズに対する除湿効果が向上する。
【００１６】
前記支持板６の底部におけるその正面に近い部位に位置する支持柱７に延伸板８が設けられ、前記延伸板８に前記延伸板８を貫通するように締付ノブ９がネジ接続され、複数の前記締付ノブ９の底部は、前記第１載置板２及び前記第２載置板３の上面に当接する。異なるサイズのシューズを収納する前に、締付ノブ９を緩め、緩められた締付ノブ９と摺動溝５で異なるサイズのシューズに適用できるように隣り合う二つの支持板６の間の距離を調節する。
【００１７】
前記換気乾燥構造は、二つのファンハウジング１０、二つのファン１１と、二つの加熱板１２を含む。二つの前記ファンハウジング１０は、それぞれ本体１の内部の底端に位置するメッシュ換気口４に固定して設けられ、二つのファン１１は、それぞれ二つのファンハウジング１０の内部に設けられ、二つの前記ファン１１の風向は、いずれも本体１の内部の頂端に向かい、二つの前記加熱板１２は、それぞれ二つのファンハウジング１０の内部に設けられ、ファン１１の上方に位置する。シューズに対して除臭除湿を行う際に、ファン１１及び加熱板１２をオンにすることにより、ファン１１は、外部の空気を本体１の内部に抽送されるとともに、本体１頂部のメッシュ換気口４と組み合わせて換気循環を形成させる。また、加熱板１２が流れる空気を加熱することにより、シューズに対する除湿処理の効率が向上する。
【００１８】
前記第１載置板２及び前記第２載置板３の内部にそれぞれ複数の貫通孔１３が形成される。これにより、シューズに対して行う換気、除湿、除臭の処理が容易になる。
【００１９】
前記ニオイ浄化構造は、二つの収納箱１４を含み、二つの前記収納箱１４は、それぞれ取付具を介して本体１の内部の頂端に設けられ、頂部が開口し、四周側面及び底部がいずれもメッシュ状である。活性炭バッグを収納箱１４に入れることにより、ニオイが吸着され、除臭の目的が実現される。
【００２０】
なお、ファン１１及び加熱板１２は、それぞれ制御スイッチと電源に接続される。
【００２１】
動作の原理
シューズを収納する際に、先にシューズを上下にひっくり返して、その後、シューズをその開口面が下に向かうように隣り合う二つの支持板６の間に収納する。これにより、シューズに対する除湿効果が向上する。異なるサイズのシューズを収納する前に、締付ノブ９を緩め、緩められた締付ノブ９と摺動溝５で異なるサイズのシューズに適用できるように隣り合う二つの支持板６の間の距離を調節する。その後、ファン１１及び加熱板１２をオンにすることにより、ファン１１は、外部の空気を本体１の内部に抽送されるとともに、本体１頂部のメッシュ換気口４と組み合わせて換気循環を形成させる。また、加熱板１２が流れる空気を加熱することにより、シューズに対する除湿処理の効率が向上する。また、活性炭バッグを収納箱１４に入れることにより、ニオイが吸着され、除臭の目的が実現される。
【符号の説明】
【００２２】
１：本体
２：第１載置板
３：第２載置板
４：メッシュ換気口
５：摺動溝
６：支持板
７：支持柱
８：延伸板
９：締付ノブ
１０：ファンハウジング
１１：ファン
１２：加熱板
１３：貫通孔
１４：収納箱ベース
【図１】
0003232451.tif 000003
【図２】
0003232451.tif 000004
【図３】
0003232451.tif 000005
【図４】
0003232451.tif 000006
【図５】
0003232451.tif 000007